(57)【要約】  無線通信システムにおける制御情報を送受信する方法及び装置を提供する。前記装置は、送信される制御情報に関連した接続がダウンリンク（ＤＬ）接続であるか又はアップリンク（ＵＬ）接続であるかを示すダウンリンク／アップリンク（ＤＬ／ＵＬ）指示子及び接続を識別するフロー識別子（ＩＤ）を生成し、接続のためにＤＬ／ＵＬ指示子及びフローＩＤを含む制御情報を相手側に送信する。
2013526208.tif 000002
【特許請求の範囲】
【請求項１】
無線通信システムにおける制御情報を送信する方法であって、
送信される制御情報に関連した接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を生成するステップと、
前記接続のために前記ダウンリンク／アップリンク指示子及び前記フロー識別子を含む前記制御情報を相手側に送信するステップと
を有することを特徴とする制御情報を送信する方法。
【請求項２】
前記制御情報は、ダウンリンク接続又はアップリンク接続の識別が必要な接続に関連した制御メッセージ及び制御ヘッダーのうちの少なくとも１つを含むことを特徴とする請求項１に記載の制御情報を送信する方法。
【請求項３】
前記制御情報は、自動再送要求（ＡＲＱ）リセット初期化メッセージ、自動再送要求リセット確認（ＡＣＫ）メッセージ、及び自動再送要求リセット確認メッセージのうちの少なくとも１つを含むことを特徴とする請求項１に記載の制御情報を送信する方法。
【請求項４】
前記制御情報は、前記制御情報に含まれるメッセージを識別するメッセージタイプと、ダウンリンク／アップリンク指示子と、自動再送要求リセット手順を実行するための接続を識別する前記フロー識別子と、自動再送要求初期化、自動再送要求確認（ＡＲＱ  ＡＣＫ）、又は自動再送要求確認を示すタイプフィールドとを含み、
前記ダウンリンク／アップリンク指示子は、１ビットで構成されることを特徴とする請求項３に記載の制御情報を送信する方法。
【請求項５】
前記フロー識別子は、ダウンリンクとアップリンクとの間で共有される複数のフロー識別子を含むフロー識別子空間から選択され、前記接続に割り当てられることを特徴とする請求項１に記載の制御情報を送信する方法。
【請求項６】
無線通信システムにおける制御情報を受信する方法であって、
制御情報を受信するステップと、
前記制御情報に関連した接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を前記制御情報からデコーディングするステップと、
前記ダウンリンク／アップリンク指示子及び前記フロー識別子に基づいて前記制御情報がアップリンク接続に関連するか又はダウンリンク接続に関連するかを判定するステップと
を有することを特徴とする制御情報を受信する方法。
【請求項７】
前記制御情報は、ダウンリンク接続又はアップリンク接続の識別が必要な接続に関連した制御メッセージ及び制御ヘッダーのうちの少なくとも１つを含むことを特徴とする請求項６に記載の制御情報を受信する方法。
【請求項８】
前記制御情報は、自動再送要求（ＡＲＱ）リセット初期化メッセージ、自動再送要求リセット確認（ＡＣＫ）メッセージ、及び自動再送要求リセット確認メッセージのうちの少なくとも１つを含むことを特徴とする請求項６に記載の制御情報を送信する方法。
【請求項９】
前記制御情報は、前記制御情報に含まれるメッセージを識別するメッセージタイプと、ダウンリンク／アップリンク指示子と、自動再送要求リセット手順を実行するための接続を識別する前記フロー識別子と、自動再送要求初期化、自動再送要求確認（ＡＲＱ  ＡＣＫ）、又は自動再送要求確認を示すタイプフィールドとを含み、
前記ダウンリンク／アップリンク指示子は、１ビットで構成されることを特徴とする請求項８に記載の制御情報を受信する方法。
【請求項１０】
前記フロー識別子は、ダウンリンクとアップリンクとの間で共有される複数のフロー識別子を含むフロー識別子空間から選択され、前記接続に割り当てられることを特徴とする請求項６に記載の制御情報を受信する方法。
【請求項１１】
無線通信システムにおける制御情報を送信する装置であって、
送信される制御情報に関連した接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を生成する制御器と、
前記接続のために前記ダウンリンク／アップリンク指示子及び前記フロー識別子を含む前記制御情報を相手側に送信する送信器と
を有することを特徴とする制御情報を送信する装置。
【請求項１２】
前記制御情報は、ダウンリンク接続又はアップリンク接続の識別が必要な接続に関連した制御メッセージ及び制御ヘッダーのうちの少なくとも１つを含むことを特徴とする請求項１１に記載の制御情報を送信する装置。
【請求項１３】
前記制御情報は、自動再送要求（ＡＲＱ）リセット初期化メッセージ、自動再送要求リセット確認（ＡＣＫ）メッセージ、及び自動再送要求リセット確認メッセージのうちの少なくとも１つを含むことを特徴とする請求項１１に記載の制御情報を送信する装置。
【請求項１４】
前記制御情報は、前記制御情報に含まれるメッセージを識別するメッセージタイプと、ダウンリンク／アップリンク指示子と、自動再送要求リセット手順を実行するための接続を識別する前記フロー識別子と、自動再送要求初期化、自動再送要求確認（ＡＲＱ  ＡＣＫ）、又は自動再送要求確認を示すタイプフィールドとを含み、
前記ダウンリンク／アップリンク指示子は、１ビットで構成されることを特徴とする請求項１３に記載の制御情報を送信する装置。
【請求項１５】
前記フロー識別子は、ダウンリンクとアップリンクとの間で共有される複数のフロー識別子を含むフロー識別子空間から選択され、前記接続に割り当てられることを特徴とする請求項１１に記載の制御情報を送信する装置。
【請求項１６】
無線通信システムにおける制御情報を受信する装置であって、
制御情報を受信する受信器と、
前記制御情報に関連した接続がダウンリンク（ＤＬ）接続であるか又はアップリンク（ＵＬ）接続であるかを示すダウンリンク／アップリンク（ＤＬ／ＵＬ）指示子及び前記接続を識別するフロー識別子（ＩＤ）を前記制御情報からデコーディングし、前記ダウンリンク／アップリンク指示子及び前記フロー識別子に基づいて前記制御情報がアップリンク接続に関連するか又はダウンリンク接続に関連するかを判定する制御器と
を有することを特徴とする制御情報を受信する装置。
【請求項１７】
前記制御情報は、ダウンリンク接続又はアップリンク接続の識別が必要な接続に関連した制御メッセージ及び制御ヘッダーのうちの少なくとも１つを含むことを特徴とする請求項１６に記載の制御情報を受信する装置。
【請求項１８】
前記制御情報は、自動再送要求（ＡＲＱ）リセット初期化メッセージ、自動再送要求リセット確認（ＡＣＫ）メッセージ、及び自動再送要求リセット確認メッセージのうちの少なくとも１つを含むことを特徴とする請求項１６に記載の制御情報を受信する装置。
【請求項１９】
前記制御情報は、前記制御情報に含まれるメッセージを識別するメッセージタイプと、ダウンリンク／アップリンク指示子と、自動再送要求リセット手順を実行するための接続を識別する前記フロー識別子と、自動再送要求初期化、自動再送要求確認（ＡＲＱ  ＡＣＫ）、又は自動再送要求確認を示すタイプフィールドとを含み、
前記ダウンリンク／アップリンク指示子は、１ビットで構成されることを特徴とする請求項１８に記載の制御情報を受信する装置。
【請求項２０】
前記フロー識別子は、ダウンリンクとアップリンクとの間で共有される複数のフロー識別子を含むフロー識別子空間から選択され、前記接続に割り当てられることを特徴とする請求項１６に記載の制御情報を受信する装置。
【発明の詳細な説明】
【技術分野】
【０００１】
本発明は、無線通信システムに関し、特に、接続を識別する識別子（Identification：ＩＤ）を使用して制御情報を送受信する方法及び装置に関する。
【背景技術】
【０００２】
無線通信市場で音声通話だけでなく様々なマルチメディアインターネットサービスのような大容量のデータサービスに対する要求の増加を満足させるために、ＩＥＥＥ（Institute of Electrical and Electronics Engineers）８０２．１６ｅ無線広帯域（Wireless Broadband：ＷｉＢｒｏ）又はモバイルワイマックス（Worldwide Interoperability for Microwave Access：ＷｉＭＡＸ）、無線ＬＡＮ（Wireless Local Area Network）及び第３世代パートーナーシッププロジェクトロングタームエボルーション（3rd Generation Partnership Project Long Term Evolution：３ＧＰＰ  ＬＴＥ）のような新たな無線送信標準に関する活発な研究が進んでいる。
【０００３】
無線通信システムにおいて、端末（Mobile Station：ＭＳ）から基地局（Base Station：ＢＳ）に向かうアップリンク（Uplink：ＵＬ）及び基地局から端末に向かうダウンリンク（Downlink：ＤＬ）を介して１つ又はそれ以上の接続又はフローを使用してデータと制御メッセージとを交換する。アップリンク及びダウンリンク接続は、独立した識別子（Identifier：ＩＤ）により識別される。
【０００４】
図１は、従来技術によるモバイルＷｉＭＡＸシステムにおける接続を識別するために使用される接続識別子（Connection Identifier：ＣＩＤ）を示す図である。
【０００５】
図１を参照すると、ＣＩＤ空間（space）１００は、ＤＬ  ＣＩＤ空間１０２とＵＬ  ＣＩＤ空間１０４とに区分される。ＤＬ  ＣＩＤ空間１０２及びＵＬ  ＣＩＤ空間１０４のそれぞれは、例えば、１６ビットの長さを有する予め定められたＣＩＤを含む。ＤＬ接続が確立されると、ＤＬ  ＣＩＤは、ＤＬ  ＣＩＤ空間１０２から選択され、ＤＬ接続に割り当てられる。同様に、ＵＬ接続が確立される場合に、ＵＬ  ＣＩＤは、ＵＬ  ＣＩＤ空間１０４から選択され、ＵＬ接続に割り当てられる。したがって、ＤＬ  ＣＩＤ及びＵＬ  ＣＩＤは、同一の値を有しない。
【０００６】
図２は、従来技術によるアドバンスドモバイル（Advanced Mobile）ＷｉＭＡＸシステムにおける接続を識別するために使用されるフロー識別子（Flow Identifier：Flow ID）を示す図である。
【０００７】
図２を参照すると、ＤＬ又はＵＬフローＩＤ２０２は、全フローＩＤ空間２００から選択される。フローＩＤが図１に示すＣＩＤのように機能するが、ＵＬ及びＤＬフローＩＤは、同一の値を有することができる。
【０００８】
送信器及び受信器は、データの送受信エラーを復旧するために自動再送要求（Automatic Retransmission Request：ＡＲＱ）動作をサポートすることができる。ＡＲＱ動作は、送信器と受信器との間の各接続内で独立して実行することができる。各接続に対するパケットが固有のＣＩＤで送信されるので、受信器は、対応する接続のＣＩＤにより同一の接続の初期送信パケット及び再送信パケットを識別した後にこのパケットを結合することができる。
【０００９】
一方、送信器及び受信器は、ＡＲＱ同期化損失（ARQ synchronization loss）又は他の実施上の要因によりアップリンク又はダウンリンクでＡＲＱリセットを実行することができる。この場合に、送信器及び受信器のうちの１つがＡＲＱリセットを実行する場合に、相手側は、ＡＲＱリセット制御メッセージに設定されたフローＩＤだけを用いて、アップリンクデータ接続に対してＡＲＱリセットを実行するか又はダウンリンクデータ接続に対してＡＲＱリセットを実行するかを判定することができない。同様に、アップリンク又はダウンリンク接続の識別が必要な接続に対する制御情報の送信が必要な場合に、この接続のリンクタイプを示す必要がある。
【発明の概要】
【発明が解決しようとする課題】
【００１０】
本発明の目的は、少なくとも上述した問題点及び／又は不都合に取り組み、少なくとも以下の便宜を提供することにある。すなわち、本発明の目的は、無線通信システムにおいて接続を識別する識別子（ＩＤ）を使用して制御情報を送受信する方法及び装置を提供することにある。
【００１１】
本発明の他の目的は、無線通信システムにおいて自動再送要求（ＡＲＱ）動作をリセットするための制御情報を送受信する方法及び装置を提供することにある。
【００１２】
本発明のさらなる他の目的は、無線通信システムにおいて制御情報を送信する場合に制御情報に対応するフローがアップリンクに対するものであるかまたはダウンリンクに対するものであるかを示す方法及び装置を提供することにある。
【課題を解決するための手段】
【００１３】
上記のような目的を達成するために、本発明の実施形態の一態様によれば、無線通信システムにおける制御情報を送信する方法を提供する。上記方法は、送信される制御情報に関連した接続がダウンリンク（ＤＬ）接続であるか又はアップリンク（ＵＬ）接続であるかを示すダウンリンク／アップリンク（ＤＬ／ＵＬ）指示子及び上記接続を識別するフロー識別子（ＩＤ）を生成するステップと、上記接続のために上記ダウンリンク／アップリンク指示子及び上記フロー識別子を含む上記制御情報を相手側に送信するステップとを有することを特徴とする。
【００１４】
本発明の実施形態の他の態様によれば、無線通信システムにおける制御情報を受信する方法を提供する。上記方法は、制御情報を受信するステップと、上記制御情報に関連した接続がダウンリンク（ＤＬ）接続であるか又はアップリンク（ＵＬ）接続であるかを示すダウンリンク／アップリンク（ＤＬ／ＵＬ）指示子及び上記接続を識別するフロー識別子（ＩＤ）を上記制御情報からデコーディングするステップと、上記ダウンリンク／アップリンク指示子及び上記フロー識別子に基づいて上記制御情報がアップリンク接続に関連するか又はダウンリンク接続に関連するかを判定するステップとを有することを特徴とする。
【００１５】
本発明の実施形態のさらに他の態様によれば、無線通信システムにおける制御情報を送信する装置を提供する。上記装置は、送信される制御情報に関連した接続がダウンリンク（ＤＬ）接続であるか又はアップリンク（ＵＬ）接続であるかを示すダウンリンク／アップリンク（ＤＬ／ＵＬ）指示子及び上記接続を識別するフロー識別子（ＩＤ）を生成する制御器と、上記接続のために上記ダウンリンク／アップリンク指示子及び上記フロー識別子を含む上記制御情報を相手側に送信する送信器とを有することを特徴とする。
【００１６】
本発明の実施形態のさらなる他の態様によれば、無線通信システムにおける制御情報を受信する装置を提供する。上記装置は、制御情報を受信する受信器と、上記制御情報に関連した接続がダウンリンク（ＤＬ）接続であるか又はアップリンク（ＵＬ）接続であるかを示すダウンリンク／アップリンク（ＤＬ／ＵＬ）指示子及び上記接続を識別するフロー識別子（ＩＤ）を上記制御情報からデコーディングし、上記ダウンリンク／アップリンク指示子及び上記フロー識別子に基づいて上記制御情報がアップリンク接続に関連するか又はダウンリンク接続に関連するかを判定する制御器とを有することを特徴とする。
【発明の効果】
【００１７】
本発明は、送信される制御情報にダウンリンク／アップリンク指示子を挿入することにより、制御情報がアップリンク接続に関連するか又はダウンリンク接続に関連するかを示す。制御情報と関連した動作がどの接続に対するものであるかを正確に示すので、誤動作を防止し、シグナリングの効率性及び正確性を増加させることができる。
【００１８】
本発明の一実施形態の目的、特性、及び長所は、添付した図面と共に以下の説明により、さらに明確になるはずである。図面において、同一の図面参照符号は、同一の素子、特性、及び構造を意味することが分かるはずである。
【図面の簡単な説明】
【００１９】
【図１】従来技術によるモバイルＷｉＭＡＸシステムにおいて接続を識別するために使用される接続識別子（ＣＩＤ）を示す図である。
【図２】従来技術によるアドバンスドモバイルＷｉＭＡＸシステムにおいて接続を識別するために使用されるフロー識別子（Flow ID）を示す図である。
【図３】本発明の実施形態によるアップリンク及びダウンリンクＩＤを示す図である。
【図４】本発明の実施形態による送信器での制御情報を送信する動作を示すフローチャートである。
【図５】本発明の実施形態による受信器での制御情報を受信する動作を示すフローチャートである。
【図６】本発明の実施形態による送信器で自動再送要求（ＡＲＱ）リセットを開始する動作に対するメッセージフローを示す図である。
【図７】本発明の実施形態による受信器でＡＲＱリセットを開始する動作に対するメッセージフローを示す図である。
【図８】本発明の実施形態による基地局（ＢＳ）の構造を示すブロック図である。
【図９】本発明の実施形態による端末（ＭＳ）の構造を示すブロック図である。  図面中、同一の図面参照符号は、同一の構成要素、特性、及び構造を意味することが分かるはずである。
【発明を実施するための形態】
【００２０】
本発明の他の目的、利点、及び顕著な特徴は、添付の図面及び本発明の実施形態からなされた以下の詳細な説明から、この分野の当業者に明確になるはずである。
【００２１】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、ただ１つの実施形態にすぎない。したがって、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００２２】
次の説明及び請求項に使用される用語及び単語は、辞典的意味に限定されるものではなく、発明者により本発明の理解を明確にかつ一貫性のあるようにするために使用される。したがって、特許請求の範囲とこれと均等なものに基づいて定義されるもので、本発明の実施形態の説明が単に実例を提供するためのもので、本発明の目的を限定するものでないことは、本発明の技術分野における通常の知識を持つ者には明らかである。
【００２３】
英文明細書に記載の“ａ”、“ａｎ”、及び“ｔｈｅ”、すなわち、単数形は、コンテキスト中に特記で明示されない限り、複数形を含むことは、当業者には理解されることである。したがって、例えば、“コンポーネント表面（a component surface）”との記載は、１つ又は複数の表面を含む。
【００２４】
本発明において、制御情報送受信動作が無線セルラー通信システムとしてのＩＥＥＥ  ８０２．１６ｅ／ｍシステムに関連して説明されるが、本発明の制御情報送受信動作が特定の通信プロトコル又はシステム構成に限定されるのではなく、本発明の範囲及び趣旨内で様々な変更及び修正が可能あるということは、当該技術分野における通常の知識を有する者には明らかである。
【００２５】
図３は、本発明の望ましい実施形態によるアップリンク（ＵＬ）及びダウンリンク（ＤＬ）識別子（ＩＤ）を示す図である。
【００２６】
図３を参照すると、フローＩＤ空間３００は、ＤＬ／ＵＬ指示子３０２とＤＬ／ＵＬフローＩＤ空間３０４とを含む。各接続に対するフローＩＤは、フローＩＤ空間３０４から選択され、対応する接続に割り当てられる。ＤＬ又はＵＬ識別を必要とするデータ及び制御接続に対してはＤＬ／ＵＬ指示子３０２が使用される。ＤＬ／ＵＬ指示子３０２が制御情報に含まれることにより、対応するフローＩＤがダウンリンクに対するものであるかまたはアップリンクに対するものであるかを示すことができる。
【００２７】
図４は、本発明の望ましい実施形態による送信器での制御情報を送信する動作を示すフローチャートである。送信器は、アップリンクを介した端末（ＭＳ）であることができ、またはダウンリンクを介した基地局（ＢＳ）であることができる。
【００２８】
図４を参照すると、送信器は、ダウンリンク又はアップリンク接続の識別を要求する制御情報を送信する必要があると判定される場合に、ステップ４０２において、ダウンリンク接続又はアップリンク接続を示すＤＬ／ＵＬ指示子を制御情報内に設定する。例えば、ダウンリンク接続又はアップリンク接続の識別を要求する制御情報は、自動反復要求（ＡＲＱ）リセット初期化（Initiation）メッセージ、ＡＲＱリセットＡＣＫ（ACKnowledgement）メッセージ、及びＡＲＱリセット確認メッセージのようなＡＲＱリセットを制御するための少なくとも１つのメッセージであることができる。
【００２９】
送信器は、ステップ４０４において、制御情報に関連した接続を識別するためのフローＩＤを制御情報内に設定し、ステップ４０６において、制御情報の構成を完了する。具体的に、制御情報の構成は、ＤＬ／ＵＬ指示子及びフローＩＤとともに他の特定の情報を挿入し、予め定められたフォーマットで制御情報をフォーマット化することを含む。好ましくは、ＤＬ／ＵＬ指示子は１ビットに設定することができる。ステップ４０８において、送信器は、制御情報を受信器に送信する。制御情報は、制御メッセージの形態で送信してもよく、又は制御ヘッダーの形態で送信してもよい。
【００３０】
図５は、本発明の望ましい実施形態による受信器での制御情報を受信する動作を示すフローチャートである。受信器は、アップリンクを介した基地局（ＢＳ）であることができ、またはダウンリンクを介した端末（ＭＳ）であることができる。
【００３１】
図５を参照すると、ステップ５０２において、受信器は、送信器から制御メッセージ又は制御ヘッダー内の制御情報を受信し、ステップ５０４において、制御情報からＤＬ／ＵＬ指示子を抽出し、ＤＬ／ＵＬ指示子をデコーディングする。ステップ５０６において、受信器は、制御情報からフローＩＤを抽出し、このフローＩＤをデコーディングした後に、制御情報がアップリンク又はダウンリンク接続に関連するか否かを判定する。その後に、ステップ５０８において、受信器は、制御情報に含まれた他の特定の情報をデコーディングし、このデコーディングされた情報に対応する動作を実行する。例えば、制御情報がＡＲＱリセット制御メッセージである場合に、受信器は、ＤＬ／ＵＬ指示子及びフローＩＤで示されるアップリンク又はダウンリンク接続のためのＡＲＱ動作をリセットする。
【００３２】
上述したように、無線通信システムにおいて、アップリンクデータ接続に対するフローＩＤを含む制御メッセージ及びダウンリンクデータ接続に対するフローＩＤを含む制御メッセージが同時に発生する場合に、制御メッセージに設定されたＤＬ／ＵＬ指示子は、各接続がアップリンクに対するものであるか又はダウンリンクに対するものであるかを示す。
【００３３】
下記では、ＤＬ／ＵＬ指示子及びフローＩＤを含む制御メッセージを使用してＡＲＱリセット動作を開始するための本発明の実施形態を具体的に説明する。しかしながら、本発明の実施形態は、このような特定のメッセージ及び動作に限定されるのではなく、アップリンク接続又はダウンリンク接続を識別する必要があるすべての制御情報及びメッセージの送信に適用することができることを理解しなければならない。
【００３４】
図６は、本発明の一実施形態による送信器で自動再送要求（ＡＲＱ）リセットを開始する動作に対するメッセージフローを示す図である。
【００３５】
図６を参照すると、ステップ６０２において、送信器は、ＡＲＱリセットを開始するためにＤＬ／ＵＬ指示子、フローＩＤ、及びＡＲＱリセットに関連した他の情報をＡＲＱリセット初期化メッセージに設定し、ＡＲＱリセット初期化メッセージを受信器に送信する。ＤＬ／ＵＬ指示子は、ＡＲＱリセット初期化メッセージがアップリンクデータ接続に関連するか又はダウンリンクデータ接続に関連するかを示す。
【００３６】
ステップ６０４において、受信器は、ＡＲＱリセット初期化メッセージに応じてＡＲＱリセットＡＣＫメッセージを送信器に送信する。ＡＲＱリセット初期化メッセージと同様に、ＡＲＱリセットＡＣＫメッセージは、ＤＬ／ＵＬ指示子及びフローＩＤを含み、ＡＲＱリセットＡＣＫメッセージがアップリンクデータ接続に関連するか又はダウンリンクデータ接続に関連するかを示す。ＡＲＱリセットＡＣＫメッセージは、ＡＲＱリセット初期化メッセージに設定されたものと同一のＤＬ／ＵＬ指示子及びフローＩＤを含む。
【００３７】
図示していないが、受信器は、ＤＬ／ＵＬ指示子により示されるリンクに対して動作中であるデータ接続のうちでフローＩＤにより示されるデータ接続のＡＲＱ動作をリセットする。ここで、ＡＲＱ動作リセットは、ＡＲＱ動作のための一連番号を初期化し、ＡＲＱバッファをクリアする動作などを含むことができる。同様に、ＡＲＱリセット初期化メッセージを送信した後に又はＡＲＱリセットＡＣＫメッセージを受信した後に、送信器は、ＤＬ／ＵＬ指示子及びフローＩＤにより示されるデータ接続のＡＲＱ動作をリセットする。したがって、送信器及び受信器は、同一のデータ接続に対するＡＲＱ動作をリセットすることができる。
【００３８】
図７は、本発明の実施形態による受信器でＡＲＱリセットを開始する動作に対するメッセージフローを示す図である。
【００３９】
図７を参照すると、ステップ７０２において、受信器は、ＡＲＱリセットを開始するためにＤＬ／ＵＬ指示子、フローＩＤ、及びＡＲＱリセットに関連した他の情報をＡＲＱリセット初期化メッセージに設定し、ＡＲＱリセット初期化メッセージを送信器に送信する。ＤＬ／ＵＬ指示子は、ＡＲＱリセット初期化メッセージがアップリンクデータ接続に関連するか又はダウンリンクデータ接続に関連するかを示す。
【００４０】
ステップ７０４において、送信器は、ＡＲＱリセット初期化メッセージに応じてＡＲＱリセットＡＣＫメッセージを受信器に送信する。ＡＲＱリセット初期化メッセージと同様に、ＡＲＱリセットＡＣＫメッセージは、ＤＬ／ＵＬ指示子及びフローＩＤを含み、ＡＲＱリセットＡＣＫメッセージがアップリンクデータ接続に関連するか又はダウンリンクデータ接続に関連するかを示す。ＡＲＱリセットＡＣＫメッセージは、受信器から受信したＡＲＱリセット初期化メッセージに設定されたものと同一のＤＬ／ＵＬ指示子及びフローＩＤを含む。
【００４１】
ステップ７０６において、受信器は、ＡＲＱリセットＡＣＫメッセージに応じてＡＲＱリセット確認メッセージを送信器に送信する。同様に、ＡＲＱリセット確認メッセージは、ＡＲＱリセットＡＣＫメッセージに設定されたものと同一のＤＬ／ＵＬ指示子及びフローＩＤを含む
【００４２】
図示していないが、送信器は、ＡＲＱリセット初期化メッセージ又はＡＲＱリセット確認メッセージを受信した後に、又はＡＲＱリセットＡＣＫメッセージを送信した後に、送信器は、ＤＬ／ＵＬ指示子により示されるリンクに対して動作中であるデータ接続のうちでフローＩＤにより示されるデータ接続のＡＲＱ動作をリセットする。ここで、ＡＲＱ動作リセットはＡＲＱ動作のための一連番号を初期化し、ＡＲＱバッファをクリアする動作などを含むことができる。同様に、ＡＲＱリセット初期化メッセージ又はＡＲＱリセット確認メッセージを送信した後に、又はＡＲＱリセットＡＣＫメッセージを受信した後に、受信器は、ＤＬ／ＵＬ指示子及びフローＩＤにより示されるデータ接続のＡＲＱ動作をリセットする。したがって、送信器及び受信器は、同一のデータ接続に対するＡＲＱ動作をリセットすることができる。
【００４３】
ＡＲＱリセット制御メッセージ、すなわち、ＡＲＱリセット初期化メッセージ、ＡＲＱリセットＡＣＫメッセージ、及びＡＲＱリセット確認メッセージは、次のような構成を有することができる。
【００４４】
【表１】
2013526208.tif 000003
【００４５】
図８は、本発明の実施形態による基地局の構成を示すブロック図である。
【００４６】
図８を参照すると、基地局は、制御器８１０、メモリ８２０、及び送受信器８３０を含む。基地局は、ダウンリンクデータ接続である場合には送信器として動作し、アップリンクデータ接続である場合には受信器として動作することができる。制御器８１０は、上述した本発明の実施形態のうちの少なくとも１つに従って、端末に送信される制御情報又は制御メッセージを生成し、制御情報又は制御メッセージを送受信器８３０を介して端末に送信し、送受信器８３０を通して受信した制御情報又は制御メッセージを解釈し、解釈された制御情報又は制御メッセージに対応する動作を実行する。メモリ８２０は、制御器８１０の動作のために必要とされるプログラムコード及びパラメータ、例えば、各接続のＤＬ／ＵＬ指示子及びフローＩＤを記憶し管理し、制御器８１０の要請に応じて記憶されたＤＬ／ＵＬ指示子及びフローＩＤを提供する。送受信器８３０は、基地局と端末との間であらかじめ設定された送信方式及びチャネルを使用してメッセージを端末と交換する。
【００４７】
図９は、本発明の実施形態による端末の構成を示すブロック図である。
【００４８】
図９を参照すると、端末は、制御器９１０、メモリ９２０、及び送受信器９３０を含む。端末は、ダウンリンクデータ接続である場合には受信器として動作し、アップリンクデータ接続である場合には送信器として動作することができる。送受信器９３０は、基地局から制御情報又は制御メッセージを受信し、受信された制御情報又は制御メッセージを制御器９１０に提供する。また、送受信器９３０は、制御器９１０から生成された制御情報又は制御メッセージを基地局に送信する。制御器９１０は、制御情報又は制御メッセージを生成し、制御情報又は制御メッセージを送受信器９３０に提供し、送受信器９３０を介して受信された制御情報又は制御メッセージを解釈し、解釈された制御情報又は制御メッセージに対応する動作を実行する。メモリ９２０は、制御器９１０の動作のために必要とされるプログラムコード及びパラメータ、例えば、各接続に対するＤＬ／ＵＬ指示子及びフローＩＤを格納し管理し、制御器９１０の要請に応じて格納されたＤＬ／ＵＬ指示子及びフローＩＤを提供する。
【００４９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００５０】
１００  接続ＩＤ空間
１０２  ＤＬ  ＣＩＤ空間
１０４  ＵＬ  ＣＩＤ空間
２００  フローＩＤ空間
２０２  ＤＬ／ＵＬフローＩＤ
３００  フローＩＤ空間
３０２  ＤＬ／ＵＬ指示子
３０４  ＤＬ／ＵＬ空間
８１０  制御器
８２０  メモリ
８３０  送受信器
９１０  制御器
９２０  メモリ
９３０  送受信器
【図１】
2013526208.tif 000004
【図２】
2013526208.tif 000005
【図３】
2013526208.tif 000006
【図４】
2013526208.tif 000007
【図５】
2013526208.tif 000008
【図６】
2013526208.tif 000009
【図７】
2013526208.tif 000010
【図８】
2013526208.tif 000011
【図９】
2013526208.tif 000012
【国際調査報告】
2013526208.tif 000013
2013526208.tif 000014